(57)【要約】      （修正有）【課題】袋の開封口を拡開状態に保持するための構造を単純化し、袋をセットする作業を容易化する。【解決手段】容器本体２の開口部の内側に向けて延在し、少なくとも一部が弾性体からなる可撓リテーナ５を設ける。可撓リテーナ５は、それ自体の復元力によって、その基部から上向きに展開する第１の姿勢Ａと、下向きに展開して袋７の開封口７ｃを拡開状態に保持する第２の姿勢Ｂとの間で、スナップ的に反転可能である。第２の姿勢Ｂが弾性体の復元力によって維持されるため、第２の姿勢Ｂを維持するための別個の部材は不要であり、したがって、袋７の開封口７ｃを拡開状態に保持するための構造を単純化でき、また袋７をセットする作業を容易化できる。【選択図】図１
2016084157.tif 000002
【特許請求の範囲】
【請求項１】
内容物が入れられた袋を収容可能な容器本体と、
前記袋の開封口を拡開状態に保持可能な可撓リテーナと、
を備えた詰替え可能な容器であって、
前記可撓リテーナは、
前記容器本体の開口部の内側に向けて延在し、
その少なくとも一部が弾性体からなり、かつ、
前記弾性体の復元力によって、前記可撓リテーナの基部から上向きに展開する第１の姿勢と、前記基部から下向きに展開して前記袋の開封口を拡開状態に保持する第２の姿勢との間で、スナップ的に反転可能であることを特徴とする詰替え可能な容器。
【請求項２】
請求項１に記載の詰替え可能な容器であって、
前記可撓リテーナは、平面視で前記容器本体の開口部の全周に沿って延在していることを特徴とする詰替え可能な容器。
【請求項３】
請求項１又は２に記載の詰替え可能な容器であって、
前記容器本体の開口部又はその近傍に固定される枠体を更に備え、
前記可撓リテーナの前記基部は、前記枠体に固定されることを特徴とする詰替え可能な容器。
【請求項４】
請求項１ないし３のいずれかに記載の詰替え可能な容器の内部に、前記内容物が入れられた袋であって未開封のものを収容してなる包装体。
【発明の詳細な説明】
【技術分野】
【０００１】
本発明は、詰替え可能な容器であって内容物の漏出の抑制が考慮されたもの、並びに当該容器を用いた包装体に関する。
【背景技術】
【０００２】
粉ミルクなどの内容物が入れられた袋を、開封状態で容器本体に収容するようにした詰替え可能な容器が種々提案されている。特許文献１が開示する容器は、袋が挿入される開口部を有する容器本体と、当該開口部の内側に突出する折り込み可能なフラップと、筒状体つきの蓋体とを備えている。この蓋体を容器本体に取り付ける際に、蓋体と一体である筒状体がフラップを下向きに旋回させ、袋の開封口をフラップと容器本体との間で挟持する。
【先行技術文献】
【特許文献】
【０００３】
【特許文献１】特許第５３６８９４９号公報
【発明の概要】
【発明が解決しようとする課題】
【０００４】
しかしながら、特許文献１の容器では、フラップを拡開状態に保持するための専用の部材である筒状体が必要であり、袋をセットする作業が煩雑であった。
【０００５】
そこで本発明の目的は、詰替え可能な容器において、袋の開封口を拡開状態に保持するための構造を単純化し、袋をセットする作業を容易化することにある。
【課題を解決するための手段】
【０００６】
本発明に係る詰替え可能な容器は、
内容物が入れられた袋を収容可能な容器本体と、
前記袋の開封口を拡開状態に保持可能な可撓リテーナと、
を備えた詰替え可能な容器であって、
前記可撓リテーナは、
前記容器本体の開口部の内側に向けて延在し、
その少なくとも一部が弾性体からなり、かつ、
前記弾性体の復元力によって、前記可撓リテーナの基部から上向きに展開する第１の姿勢と、前記基部から下向きに展開して前記袋の開封口を拡開状態に保持する第２の姿勢との間で、スナップ的に反転可能であることを特徴とする。
【０００７】
本発明では、可撓リテーナが、弾性体の復元力によって、その基部から上向きに展開する第１の姿勢と、下向きに展開して袋の開封口を拡開状態に保持する第２の姿勢との間で、スナップ的に反転可能である。第２の姿勢が弾性体の復元力によって維持されるため、第２の姿勢を維持するための別個の部材は不要であり、したがって、袋の開封口を拡開状態に保持するための構造を単純化でき、また袋をセットする作業を容易化できる。
【０００８】
好適には、前記可撓リテーナは、平面視で前記容器本体の開口部の全周に沿って延在している。
【０００９】
この態様では、可撓リテーナを第１の姿勢と第２の姿勢との間で反転させるにあたり、ある部分を反転させると残余の部分を連鎖的に反転させることができる。
【００１０】
好適には、前記容器本体の口縁部又はその近傍に固定される枠体を更に備え、前記可撓リテーナの前記基部は、前記枠体に固定される。
【００１１】
この態様では、可撓リテーナの基部の固定を、容器本体の形状とは無関係に行えるので、基部の固定構造の設計の自由度を高めることが可能になる。可撓リテーナの形状は任意であり、例えば容器本体の平面視形状を矩形状とし、可撓リテーナ基部の平面視形状を楕円形状にすることができる。
【００１２】
本発明の別の態様は、詰替え可能な容器の内部に、前記内容物が入れられた袋であって未開封のものを収容してなる包装体である。
【００１３】
この態様によれば、内容物が入れられた袋と容器とを一体的に製造・流通・販売することができ好適である。
【図面の簡単な説明】
【００１４】
【図１】本発明の実施形態に係る詰替え可能な容器の縦断面を示す側面図である。
【図２】実施形態に係る詰替え可能な容器の縦断面を示す正面図である。
【図３】実施形態における容器本体及び蓋体を示す平面図である。
【図４】実施形態における枠体及び可撓リテーナを示す平面図である。
【図５】可撓リテーナを反転させる行程を示す斜視図である。
【図６】可撓リテーナの変形例を示す平面図である。
【図７】可撓リテーナの別の変形例を示す平面図である。
【図８】開封前の袋を示す斜視図である。
【図９】開封後の袋を示す斜視図である。
【発明を実施するための形態】
【００１５】
本発明の実施形態について、以下に図面に従って説明する。図１において、本発明の実施形態の詰替え可能な容器１（以下適宜「容器１」という）は、粉ミルクなどの粉状物の包装に用いられるものであり、容器本体２と、蓋体３と、可撓リテーナ５と、枠体４とを有する。容器１は、内容物６が入れられた詰替え用の袋７を収容可能である。内容物６の種類は任意であり、粉体物又は粒体物が特に好適である。
【００１６】
袋７は、周知のガセット袋であり、内容物６を収容した状態では、概ね矩形の底面形状を有する。図８に示されるように、袋７は、詰替え前には内容物６を収容した状態で密封されている。袋７は、封緘部７ａにおいて、密封手段（例えばヒートシール）によって密封される。封緘部７ａは、詰替えの際にユーザにより切り取り予定線７ｂに沿って切断され除去され、これによって袋７が開封される。切り取り予定線７ｂは、切り取りが袋７における予定された高さ位置で行われるように、開封案内構造（例えばミシン目など）によって構成されている。図９に示されるように、封緘部７ａが除去されると、袋７には開封口７ｃが形成される。開封口７ｃには、ガセット袋の通常の仕様に起因して、内向きに折り込まれた内向きノッチ部７ｄが存在する。袋７の材料は任意であり、例えば樹脂フィルム、紙、不織布、金属箔又はこれらの任意の組合せからなるシート状材料を好適に用いることができる。
【００１７】
図１及び２において、容器本体２は、概ね直方体であって上面が開口部２ａ（図３参照）とされており、また前後壁２ｂと、左右壁２ｃと、底壁２ｄとを有する。容器本体２の内部は、底壁２ｄから開口部２ａに向けていわゆる抜け勾配、すなわち底壁２ｄから開口部２ａに向けて水平断面形状が徐々に拡大するように構成されている。開口部２ａの近傍には、水平方向かつ外向きに突出する支持リム２ｅ、及び上向きに突出する係合リム２ｆが設けられている。支持リム２ｅ及び係合リム２ｆは、それぞれ開口部２ａの全周にわたって延在している。支持リム２ｅは、後述する枠体４及び蓋体３の支持を促進すると共に、容器本体２を補強している。
【００１８】
蓋体３は、容器本体２の上端部である開口部２ａを覆うように構成されている。蓋体３には、２つの支持アーム３ａ及びこれらに両端が固定された回動軸３ｂ（図１参照）を有する。回動軸３ｂに対応して、図３に示されるように、容器本体２には一対の下向きアーム２ｇ及び１つの上向きアーム２ｈが設けられている。下向きアーム２ｇの下面及び上向きアーム２ｈの上面にはそれぞれ溝が設けられており、これらの溝の間で回動軸３ｂが挟まれて、回動自在に支持される。
【００１９】
蓋体３にはまた、可撓性のあるいは旋回可能な固定具３ｃが設けられている。固定具３ｃには係止孔３ｄ（図１・図２参照）が設けられており、これによって、容器本体２の係止片２ｉ（図１参照）に固定具３ｃが係合し、蓋体３を閉鎖状態にロックすることができる。蓋体３の縁部には、その全周に亘り、後述する枠体４の嵌合部４ａの上面に嵌合するための嵌合部３ｅが設けられている。この嵌合は、ユーザによる取り外しが可能なスナップ係合とされている。
【００２０】
枠体４は、その内周端部が外周端部よりも低くなるように上面が傾斜し、これに囲まれた部分の水平断面形状が下方ほど小さくなるように、全体として皿状、ファンネル状又は錐台状に構成されている。枠体４の外周端部には、容器本体２の係合リム２ｆに嵌合するための嵌合部４ａが下向きに設けられており、また枠体４の内周端部には、可撓リテーナ５の基部５ａを固定するための固定部４ｂが下向きに設けられている。嵌合部４ａによる枠体４の容器本体２への固定は、ユーザによる取り外しが可能なスナップ係合とされている。なお、枠体４は容器本体２の上端部である開口部２ａに形成された係合リム２ｆに固定されるが、枠体４の固定は開口部２ａの近傍、すなわち開口部２ａを含む所定範囲内であればよい。
【００２１】
可撓リテーナ５は、枠体４の内側に固定され、容器本体２の開口部の内側に向けて延在している。可撓リテーナ５は、その全体が弾性体からなり、ユーザが手で容易に反転できる程度の柔軟性を有する。可撓リテーナ５は、その内周端部が外周端部よりも低くなるように上面が傾斜し、これに囲まれた部分の水平断面形状が下方ほど小さくなるように、全体として皿状、ファンネル状又は錐台状の筒形に構成されている。可撓リテーナ５の外周端部には、枠体４の固定部４ｂに嵌合するための基部５ａが形成されている。可撓リテーナ５のうち基部５ａを除いたと筒型の錐台状部は、その厚さが概ね一定にされており、また基部５ａと錐台状部との間は、錐台状部よりも薄肉のヒンジ部とされている。なお、枠体４と可撓リテーナ５とを一体に成形することも可能である。
【００２２】
図４に示されるように、枠体４及び可撓リテーナ５は、いずれも平面視で概ね環状又は枠状であり、容器本体２の開口部２ａの全周に沿って延在している。可撓リテーナ５は枠体４に取り外し不能に固定されている。枠体４に対する可撓リテーナ５の固定は、インサート成形によって行うことができるが、接着剤やスナップ係合など他の固定手段によっても良い。
【００２３】
可撓リテーナ５は、それ自体の復元力によって、その基部５ａから上向きに展開する第１の姿勢Ａと、基部５ａから下向きに展開する第２の姿勢Ｂとの間で、スナップ的に反転可能である。第１の姿勢Ａにあるときには、可撓リテーナ５は、その内周端部が外周端部よりも高くなるように上面が傾斜し、これに囲まれた部分の水平断面形状が下方ほど大きくなるように、全体として錐台状をなしている。そして可撓リテーナ５は、その第２の姿勢Ｂにあるときに、袋７の開封口７ｃの近傍に内方から接して、当該開封口７ｃを拡開状態に保持可能である。
【００２４】
第１の姿勢Ａから第２の姿勢Ｂへと可撓リテーナ５を変形させる過程において、あるピーク点までは変形に対する反発力が強まるが、ピーク点を越えるとユーザの押圧力なしに可撓リテーナ５自体の復元力により、その形状が第２の姿勢Ｂへと移行する。逆に第２の姿勢Ｂから第１の姿勢Ａへと可撓リテーナ５を変形させる場合も同様である。このようなスナップ的な反転は、皿ばねのように変位に対してバネ定数がヒステリシスを呈する特性を有する非線形ばねの挙動と共通しており、いわゆる「飛び移り」として知られているものである。
【００２５】
容器１は更に、すり切り板８（図２，図５参照）を有する。すり切り板８は、枠体４の形状を保持し且つ不図示のスプーンで内容物６をすくう際にすり切りを行うために用いられる。枠体４は、すり切り板８の両端部を差し込んで固定するための差込部４ｃを有する。
【００２６】
容器１の各部の材質には、任意のものを用いることができ、特に樹脂が好適である。例えば、容器本体２・蓋体３・枠体４・すり切り板８はポリエチレン、またはポリプロピレンなどのオレフィン系の樹脂とするのが特に好適であるが、これらに限られない。可撓リテーナ５の材質は、例えばエラストマーであって、スチレン系（ＴＰＳ、ＳＢＳ，ＳＩＳ、水添など)、オレフィン系（ＴＰＯ）、塩ビ系（ＴＰＶＣあるいはＴＰＺ）、ポリエステル系（ＴＰＥＥ）、ポリアミド系（ＴＰＡ）、ウレタン系（ＴＰＵ、一部熱硬化性を含む）、その他、塩素化ポリエチレン（ＣＰＥ）、クロロスルフォン化ポリエチレン（ＣＳＭ）、フッ素系ＴＰＥ、シリコーンゴム（ＲＴＶ、ＨＴＶ、ＬＩＭ）、アクリルゴム（ＡＣＭ）などから、選択的に用いる事ができる。特に、オレフィン系の軟質ポリオレフィン、具体的にはポリエチレンが好適に用いられる。容器本体２・蓋体３・枠体４・可撓リテーナ５・すり切り板８のうち任意のものを、透明又は半透明としても良い。
【００２７】
以上のとおり構成された本発明の実施形態の容器１を用いて、袋７の詰め替えを行う方法について説明する。
【００２８】
まず、容器本体２の蓋体３を開き（図１の二点鎖線Ｃ）、枠体５を容器本体２から外す。次に、開封した袋７を、容器本体２の内部に収容する。
【００２９】
次に、可撓リテーナ４と一体である枠体５を、容器本体２に固定する。そして、図５に示されるように、可撓リテーナ５を、上向きに展開した第１の姿勢Ａから、下向きに展開した第２の姿勢Ｂへと反転させる。その結果、可撓リテーナ５自体の復元力によって、袋７の開封口７ｃが拡開状態に保持される。この状態で、ユーザはすり切り板８を差込部４ｃにセットする。
【００３０】
そしてユーザは蓋体３を閉じて、容器本体２の開口部２ａを被覆し、固定具３ｃを容器本体２の係止片２ｉに係合させることで、蓋体３を閉鎖状態にロックする。
【００３１】
以上のとおり、本実施形態では、可撓リテーナ５が、弾性体の復元力によって、その基部から上向きに展開する第１の姿勢Ａと、下向きに展開して袋７の開封口７ｃを拡開状態に保持する第２の姿勢Ｂとの間で、スナップ的に反転可能である。第２の姿勢Ｂが弾性体の復元力によって維持されるため、第２の姿勢Ｂを維持するための別個の部材は不要であり、したがって、袋７の開封口７ｃを拡開状態に保持するための構造を単純化でき、また袋７をセットする作業を容易化できる。
【００３２】
また、本実施形態では、可撓リテーナ５は、平面視で容器本体２の開口部２ａの全周に沿って延在している。したがって、可撓リテーナ５を第１の姿勢Ａと第２の姿勢Ｂとの間で反転させるにあたり、ある部分を反転させると残余の部分を連鎖的に反転させることができる。
【００３３】
また本実施形態では、容器本体２の開口部２ａ又はその近傍に固定される枠体４を更に備え、可撓リテーナ５の基部５ａは、枠体４に固定される。したがって、可撓リテーナ５の基部５ａの固定を、容器本体２の形状とは無関係に行えるので、基部５ａの固定構造の設計の自由度を高めることが可能になる。特に本実施形態では、枠体４と可撓リテーナ５との接合面を枠体４の内周端部の下面としたので、この接合面に内容物６が入り込むおそれを抑制することができる。ただし、可撓リテーナ５を容器本体２（例えば、係合リム２ｆ）に直接固定する構造として、枠体を用いないことも可能である。
【００３４】
本実施形態に係る容器１を用いて、容器１の内部に、内容物６が入れられた袋７であって未開封のものを収容してなる包装体（図示せず）を構成することができる。この態様によれば、内容物６が入れられた袋７と容器とを一体的に製造・流通・販売することができ好適である。
【００３５】
なお、本発明の範囲は上記各実施形態のみに限らず、特許請求の範囲によって規定される本発明の思想に包含されるあらゆる変形例や応用例、均等物が本発明に含まれる。従って本発明は、限定的に解釈されるべきではなく、本発明の思想の範囲内に帰属する他の任意の技術にも適用することが可能である。
【００３６】
例えば、上記実施形態では容器本体２、枠体４、可撓リテーナ５及び袋７の平面視形状はいずれも概ね矩形としたが、容器本体２、枠体４、可撓リテーナ５及び袋７のうち少なくともいずれか１つの平面視形状は、概ね円形、楕円形、長円形、５角形以上の多角形など、他の形状であっても良い。いずれの場合も、可撓リテーナの全体形状は錐台（円錐台、楕円錐台、長円錐台、多角錐台）とするのが好適であるが、これに限られず、第１の姿勢と第２の姿勢との間でスナップ的に反転可能な形状であれば良い。例えば容器本体の平面視形状を矩形状とし、可撓リテーナ基部の平面視形状を楕円形状にするなど、容器本体２、枠体４、可撓リテーナ５及び袋７のうち少なくともいずれかの平面視形状を、他の少なくともいずれかと異なる形状としても良い。
【００３７】
また、上記実施形態では、可撓リテーナ５は、平面視で容器本体２の開口部２ａの全周に沿って延在していることとしたが、可撓リテーナは、容器本体２の開口部２ａの周方向の一部のみに沿って延在していてもよい。例えば図６に示される変形例の可撓リテーナ１０５は、その全体的形状が概ね角錐台状である点において上記実施形態における可撓リテーナ５と共通しているが、スリット１０５ｅによって４つのリテーナ部分１０５ａ，１０５ｂ，１０５ｃ，１０５ｄに分断されている。可撓リテーナ１０５は、これら４つのリテーナ部分１０５ａ−１０５ｄが個別に、その少なくとも一部である弾性体の復元力によって、第１の姿勢Ａと第２の姿勢Ｂとの間でスナップ的に反転することが可能である。
【００３８】
また、可撓リテーナの反転は複数段階で行われるものであっても良く、可撓リテーナの反転はその一部において行われるものであっても良い。例えば図７に示される別の変形例の可撓リテーナ２０５は、その全体的形状が概ね角錐台状である点において上記実施形態における可撓リテーナ５と共通しているが、その基部２０５ａから先端部２０５ｂにわたる全長の中間部に、外周部分２０５ｄと内周部分２０５ｅよりも比較的薄肉の中間ヒンジ部２０５ｃを有しており、この中間ヒンジ部２０５ｃによって外周部分２０５ｄと内周部分２０５ｅとに分割されている。可撓リテーナ２０５は、この中間ヒンジ部２０５ｃにおいて変形が容易にされている。図７では固定具３ｃは図示を省略している。使用の際には、可撓リテーナ２０５は、その少なくとも一部である弾性体の復元力によって、（ｉ）外周部分２０５ｄが上向きに展開しつつ内周部分２０５ｅが下向きに展開している第１の姿勢Ａ２１、又は（ｉｉ）外周部分２０５ｄと内周部分２０５ｅとがいずれも上向きに展開している第１の姿勢Ａ２２と、（ｉｉｉ）外周部分２０５ｄと内周部分２０５ｅとがいずれも下向きに展開している第２の姿勢Ｂ２との間で、スナップ的に反転することが可能である。さらに、外周部分２０５ｄが弾性体であれば、内周部分２０５ｅは弾性体でなく反転不能であっても良く、また弾性体である外周部分２０５ｄが、容器本体２（例えば、係合リム２ｆ）に直接固定するものであっても良い。周方向の中間ヒンジ部２０５ｃを、可撓リテーナ２０５の基部２０５ａから先端部２０５ｂにわたる全長の中間部の複数個所に設けて、可撓リテーナ２０５を３区分以上の蛇腹状に構成しても良い。
【００３９】
可撓リテーナ５，各リテーナ部分１０５ａ−１０５ｄ、外周部分２０５ｄ及び内周部分２０５ｅは、除荷時（すなわちユーザが力を加えない状態）における形状が曲面又は屈曲部を含み、第１の姿勢Ａと第２の姿勢Ｂとの間の変形の過程において、この曲面又は屈曲部の狭窄（曲率の増大、曲率半径の縮小、屈曲部の内角の縮小）が要求されるものとするのが好適である。各リテーナ部分１０５ａ−１０５ｄ、外周部分２０５ｄ及び内周部分２０５ｅは、その基部すなわち外周縁の平面視形状が湾曲部ないし屈曲部を含むのが好適であるが、これに限られない。上記実施形態及び各変形例では、可撓リテーナの全体を弾性体としたが、可撓リテーナはその一部のみが弾性体であっても良い。この場合には、平面視形状における湾曲部ないし屈曲部を含む領域を弾性体とするのが特に好適であるが、これに限られない。
【００４０】
本発明の容器は、食品以外の他の物品、例えば粉状洗剤などの包装にも使用できる。
【符号の説明】
【００４１】
１  詰替え可能な容器
２  容器本体
３  蓋体
４  枠体
５，１０５，２０５  可撓リテーナ
６  内容物
７  袋
８  すり切り板
Ａ，Ａ２１，Ａ２２  第１の姿勢
Ｂ，Ｂ２  第２の姿勢
【図１】
2016084157.tif 000003
【図２】
2016084157.tif 000004
【図３】
2016084157.tif 000005
【図４】
2016084157.tif 000006
【図５】
2016084157.tif 000007
【図６】
2016084157.tif 000008
【図７】
2016084157.tif 000009
【図８】
2016084157.tif 000010
【図９】
2016084157.tif 000011